(57)【特許請求の範囲】
【請求項１】
印刷機の版胴に付着した余剰インキを掻き取るドクター装置であって、
上下方向に移動自在となっているドクター架台と、
前記ドクター架台に設けられ、印刷機の版胴に向かって進退自在となっており、当該版胴に付着した余剰インキを掻き取るためのドクターブレードを有するドクターブレードユニットと、
前記ドクター架台上に設置され、版胴に対する進退方向においてドクターブレードユニットの位置決めを行うにあたり複数の予め設定された取り付け場所の中から任意の取り付け場所を選択して手動により当該ドクターブレードユニットの位置決めを行うことができる位置決めユニットと、
を備え、
前記位置決めユニットは、版胴の軸方向に対して平行に延びる治具軸と、この治具軸に枢支されて回転自在となっている複数の治具スペーサーとを有し、ドクターブレードユニットの後端面が各治具スペーサーのうちのいずれか一つの前面に当接することによりドクターブレードユニットの位置決めが行われるようになっており、
各治具スペーサーは、治具軸を中心として回転することにより、ドクターブレードユニットの位置決めを行うべき位置決め状態と、ドクターブレードユニット側から退避して当該ドクターブレードユニットの位置決めを行うことのない退避状態との間で切り替え自在となっており、
各治具スペーサーが位置決め状態にあるときに、ドクターブレードユニットの版胴に対する進退方向においてこれらの治具スペーサーの前面の位置は互いに異なるよう各治具スペーサーが形成されていることを特徴とするドクター装置。
【請求項２】
印刷機の版胴に付着した余剰インキを掻き取るドクター装置であって、
上下方向に移動自在となっているドクター架台と、
前記ドクター架台に設けられ、印刷機の版胴に向かって進退自在となっており、当該版胴に付着した余剰インキを掻き取るためのドクターブレードを有するドクターブレードユニットと、
前記ドクター架台上に設置され、版胴に対する進退方向においてドクターブレードユニットの位置決めを行うにあたり複数の予め設定された取り付け場所の中から任意の取り付け場所を選択して手動により当該ドクターブレードユニットの位置決めを行うことができる位置決めユニットと、
を備え、
前記位置決めユニットは、ドクター架台の上面に対して垂直方向に延びるカム軸と、このカム軸に枢支されて回転自在となっている偏心カムとを有し、ドクターブレードユニットの後端面が偏心カムの側面に当接することにより当該ドクターブレードユニットの位置決めが行われるようになっていることを特徴とするドクター装置。
【請求項３】
前記位置決めユニットの偏心カムの表面には、各々の予め設定された取り付け場所にドクターブレードユニットがそれぞれ位置するよう偏心カムの回転方向における向きを定めるための目印が複数付けられていることを特徴とする請求項２記載のドクター装置。
【請求項４】
請求項１乃至３のいずれか一項に記載のドクター装置を備えたことを特徴とする印刷機
。
【発明の詳細な説明】
【技術分野】
【０００１】
本発明は、印刷機の版胴に付着した余剰インキを掻き取るドクター装置およびこのようなドクター装置を備えた印刷機に関する。
【背景技術】
【０００２】
従来より、グラビア印刷機等の印刷ユニットの版胴に付着した余剰インキを掻き取るためのドクター装置が知られている（例えば、特許文献１参照）。このような印刷ユニットについて図４を用いて説明する。図４は、ドクター装置が設けられたグラビア印刷機の印刷ユニットの構成を示す概略斜視図である。
【０００３】
図４に示すように、グラビア印刷機の印刷ユニット１は、連続的に搬送されるフィルム、紙等のウェブ状被印刷物Ｗの表面に対してインキを付着させることにより印刷を行うよう構成されており、インキを貯留するインキパン（図示せず）と、インキパン内のインキがファニッシャーロール３を介して送られる版胴４と、版胴４との間でウェブ状被印刷物Ｗを挟持して印刷を行う圧胴５と、版胴４の表面に付着した余剰インキを掻き取るドクター装置１０とを備えている。
【０００４】
ドクター装置１０は、版胴４の回転方向におけるファニッシャーロール３の下流側であって圧胴５の上流側に設けられている。このドクター装置１０は、版胴４の外表面を摺擦することにより、版胴４の各セル内に充填されたインキをそのままの状態で維持しながら外表面に付着した余剰インキを掻き落とすようになっている。
【０００５】
図４に示すように、ドクター装置１０は、上下方向（図４の矢印Ａ方向）に移動自在となっているドクター架台２０と、ドクター架台２０に設けられ、印刷ユニット１の版胴４に向かって進退自在となっている（図４の矢印Ｂ方向に自在に移動する）ドクターブレードユニット３０と、を備えており、ドクターブレードユニット３０のドクターブレード３１が版胴４の外表面を摺擦するようになっている。
【０００６】
【特許文献１】特許第２９５９７３０号公報
【発明の開示】
【発明が解決しようとする課題】
【０００７】
図４に示すような印刷ユニットにおいて、ドクター装置１０の版胴４に対する位置決め方法について以下に説明する。
ドクター装置１０のドクターブレード３１と版胴４との位置関係は、版胴４の外表面に対するドクターブレード３１のなす角度であるブレード角度Ｍと、版胴４および圧胴５の間に形成されるニップ点４ｎからドクターブレード３１の版胴４に対する当接箇所までの円周距離Ｎ（図４参照）と、の２つの要素により決まるようになっている。そして、これらのブレード角度Ｍおよび円周距離Ｎは、版胴４の外周長さｍと、ドクター架台２０の高さレベルｎと、ドクター架台２０上のドクターブレードユニット３０の版胴４に対する進退方向位置ｌの３つの設定要素により決まるようになっている。
【０００８】
ここで、ドクター架台の高さレベルｎおよびドクターブレードユニット３０の進退方向位置ｌを調整するにあたり、手動で、あるいはエンコーダやモータ等の公知の方法を用いて自動で行われている。とりわけ、手動でこれらの高さレベルｎや進退方向位置ｌを調整する際には、上述のブレード角度Ｍや円周距離Ｎの要素に対応する版胴４の外周長さｍ、高さレベルｎおよびドクターブレードユニット３０の進退方向位置ｌを設定表などにまとめ、操作者がこの設定表を見て印刷機の様々な構成要素の目盛表示を設定表の数値に合わせるといった方法が用いられている。
【０００９】
しかしながら、インキの汚れ等により目盛が見えにくくなる場合も多く、とりわけ、ドクターブレードユニット３０の進退方向位置ｌを調整するための前後位置目盛はドクター架台２０上に設置されるためこの前後位置目盛が見えにくい位置となる場合がある。また、目盛表示を設定表の数値に合わせなければならないので、操作者による違いや設定ミスが生じる場合がある。その結果、ある設定で印刷を行う場合であっても、実際には毎回わずかに異なる設定で印刷が行われる。このため、他の条件を同一にしても印刷結果が異なることとなり、この印刷結果を合わせるために毎回調整が必要となり、印刷開始までの準備時間の増加等の問題が発生するおそれがある。また、自動で進退方向位置ｌの調整を行う場合であっても、印刷を行うにあたり有機溶剤を含むインキを用いることが多いため、防爆規格を満たすエンコーダやモータ等を使用する必要があり、印刷ユニットの価格上昇や、形状・構成の複雑化、大型化が避けられないという問題があった。
【００１０】
本発明は、このような点を考慮してなされたものであり、版胴に対するドクターブレードユニットの位置決めを行うにあたり、版胴に対する進退方向におけるドクターブレードユニットの取り付け場所の切り替えを手動で容易に行うことができるようになり、ドクターブレードユニットの位置ずれによる印刷不良を抑制することができるドクター装置および印刷機を提供することを目的とする。
【課題を解決するための手段】
【００１１】
本発明は、印刷機の版胴に付着した余剰インキを掻き取るドクター装置であって、上下方向に移動自在となっているドクター架台と、前記ドクター架台に設けられ、印刷機の版胴に向かって進退自在となっており、当該版胴に付着した余剰インキを掻き取るためのドクターブレードを有するドクターブレードユニットと、前記ドクター架台上に設置され、版胴に対する進退方向においてドクターブレードユニットの位置決めを行うにあたり複数の予め設定された取り付け場所の中から任意の取り付け場所を選択して手動により当該ドクターブレードユニットの位置決めを行うことができる位置決めユニットと、を備え、前記位置決めユニットは、版胴の軸方向に対して平行に延びる治具軸と、この治具軸に枢支されて回転自在となっている複数の治具スペーサーとを有し、ドクターブレードユニットの後端面が各治具スペーサーのうちのいずれか一つの前面に当接することによりドクターブレードユニットの位置決めが行われるようになっており、各治具スペーサーは、治具軸を中心として回転することにより、ドクターブレードユニットの位置決めを行うべき位置決め状態と、ドクターブレードユニット側から退避して当該ドクターブレードユニットの位置決めを行うことのない退避状態との間で切り替え自在となっており、各治具スペーサーが位置決め状態にあるときに、ドクターブレードユニットの版胴に対する進退方向においてこれらの治具スペーサーの前面の位置は互いに異なるよう各治具スペーサーが形成されていることを特徴とするドクター装置である。
このようなドクター装置によれば、ウェブ状被印刷物の材質やインキの種類の違いにより版胴に対するドクターブレードユニットの位置を変化させなければならない場合であっても、版胴に対する進退方向におけるドクターブレードユニットの取り付け場所の切り替えを手動で容易に行うことができるようになり、ドクターブレードユニットの位置ずれによる印刷不良を抑制することができる。また、操作者は、立体的で視認性に優れる各治具スペーサーについて位置決め状態とするか退避状態とするかを手動で操作するという単純な操作によりドクターブレードユニットの所望の位置決めを行うことができる。
【００１３】
また、本発明は、印刷機の版胴に付着した余剰インキを掻き取るドクター装置であって、上下方向に移動自在となっているドクター架台と、前記ドクター架台に設けられ、印刷機の版胴に向かって進退自在となっており、当該版胴に付着した余剰インキを掻き取るためのドクターブレードを有するドクターブレードユニットと、前記ドクター架台上に設置され、版胴に対する進退方向においてドクターブレードユニットの位置決めを行うにあたり複数の予め設定された取り付け場所の中から任意の取り付け場所を選択して手動により当該ドクターブレードユニットの位置決めを行うことができる位置決めユニットと、を備え、前記位置決めユニットは、ドクター架台の上面に対して垂直方向に延びるカム軸と、このカム軸に枢支されて回転自在となっている偏心カムとを有し、ドクターブレードユニットの後端面が偏心カムの側面に当接することにより当該ドクターブレードユニットの位置決めが行われるようになっていることを特徴とするドクター装置である。
このようなドクター装置によれば、ウェブ状被印刷物の材質やインキの種類の違いにより版胴に対するドクターブレードユニットの位置を変化させなければならない場合であっても、版胴に対する進退方向におけるドクターブレードユニットの取り付け場所の切り替えを手動で容易に行うことができるようになり、ドクターブレードユニットの位置ずれによる印刷不良を抑制することができる。また、操作者が偏心カムを回転させることにより、ドクターブレードユニットの後端面とカム軸との間の距離が変化することとなる。このように、版胴に対する進退方向においてドクターブレードユニットの位置決めを行うにあたり立体的で視認性に優れる偏心カムの向きを調整することにより当該ドクターブレードユニットの位置決めを容易に行うことができる。
【００１４】
本発明のドクター装置においては、前記位置決めユニットの偏心カムの表面には、各々の予め設定された取り付け場所にドクターブレードユニットがそれぞれ位置するよう偏心カムの回転方向における向きを定めるための目印が複数付けられていることが好ましい。
このようなドクター装置によれば、操作者は、偏心カムの表面に付けられた目印を参照してドクターブレードユニットの位置決めをより容易に行うことができる。
【００１５】
本発明は、上述のドクター装置を備えたことを特徴とする印刷機である。
【発明の効果】
【００１６】
本発明のドクター装置および印刷機によれば、版胴に対するドクターブレードユニットの位置決めを行うにあたり、版胴に対する進退方向におけるドクターブレードユニットの取り付け場所の切り替えを手動で容易に行うことができるようになり、ドクターブレードユニットの位置ずれによる印刷不良を抑制することができる。
【発明を実施するための最良の形態】
【００１７】
第１の実施の形態
以下、図面を参照して本発明の第１の実施の形態について説明する。図１は、本発明によるドクター装置の第１の実施の形態を示す図であり、具体的には、第１の実施の形態のドクター装置の構成を示す概略斜視図である。
【００１８】
まず、グラビア印刷機の印刷ユニットについて図４を用いて説明する。
図４に示すように、グラビア印刷機の印刷ユニット１は、連続的に搬送されるフィルム、紙等のウェブ状被印刷物Ｗの表面に対してインキを付着させることにより印刷を行うよう構成されており、インキを貯留するインキパン（図示せず）と、インキパン内のインキがファニッシャーロール３を介して送られる版胴４と、版胴４との間でウェブ状被印刷物Ｗを挟持して印刷を行う圧胴５と、版胴４の表面に付着した余剰インキを掻き取るドクター装置１０とを備えている。
【００１９】
ファニッシャーロール３は、その外周面がインキパン内のインキに浸るよう設けられており、図４の矢印方向に回転することによりインキパン内のインキが外周面に付着するようになっている。
【００２０】
版胴４は、ファニッシャーロール３に当接するとともに、圧胴５により押圧されてニップ点４ｎを形成するようになっている。この版胴４の表面には複数のセル（窪み）が形成されており、ファニッシャーロール３と当接することによりこのファニッシャーロール３の外表面に付着したインキが各セル内に充填される。しかしながら、ファニッシャーロール３の外表面から版胴４に送られるインキのうち、各セル内に充填されなかった余剰インキは当該版胴４の外表面に付着してしまう。
図４に示すように版胴４は版胴軸４ａを有しており、この版胴軸４ａが外部より矢印方向に回転駆動されることにより版胴４も同期して回転するようになっている。
【００２１】
ドクター装置１０は、版胴４の回転方向におけるファニッシャーロール３の下流側であって圧胴５の上流側に設けられている。このドクター装置１０は、版胴４の外表面を摺擦することにより、版胴４の各セル内に充填されたインキをそのままの状態で維持しながら外表面に付着した余剰インキを掻き落とすようになっている。このようなドクター装置１０の構成の詳細については後述する。
【００２２】
圧胴５は、版胴４を押圧してニップ点４ｎを形成し、この版胴４との間のニップ点４ｎでウェブ状被印刷物Ｗを挟持して当該版胴４の各セル内のインキをウェブ状被印刷物Ｗの表面に付着させるようになっている。
【００２３】
次に、ドクター装置１０の構成の詳細について図１および図４を用いて説明する。
図１および図４に示すように、ドクター装置１０は、上下方向（図４の矢印Ａ方向）に移動自在となっているドクター架台２０と、ドクター架台２０に設けられ、印刷ユニット１の版胴４に向かって進退自在となっている（図４の矢印Ｂ方向に自在に移動する）ドクターブレードユニット３０と、ドクター架台２０上に設置され、ドクターブレードユニット３０の位置決めを行う位置決めユニット４０とを備えている。
このようなドクター装置１０の各構成要素について以下に詳述する。
【００２４】
ドクター架台２０は、版胴４の軸方向に対して平行に延びるドクター架台軸２１を有しており、このドクター架台軸２１が外部より上下方向に駆動されることによりドクター架台２０が上下方向に移動することとなる。ここで、ドクター架台２０が「上下方向に移動自在となっている」とは、ドクター架台２０が鉛直方向のみに移動自在となっていることに限定されることはなく、図４の矢印Ａに示すようにやや斜め上方または下方に移動することができるようになっていてもよい。
【００２５】
ドクターブレードユニット３０は、図１に示すように版胴４の外表面を摺擦して余剰インキを掻き落とすドクターブレード３１と、このドクターブレード３１の上下に配置され、当該ドクターブレード３１を挟んで保持する上部ドクターホルダ３２および下部ドクターホルダ３３とを有している。
ドクターブレードユニット３０のドクターブレード３１は、例えば弾力性を有する鋼材からなり、その厚さは例えば０．１５〜０．２ｍｍとなっており、基端部から先端の刃先まで延びる長さは例えば５０〜６０ｍｍとなっている。
【００２６】
位置決めユニット４０は、ドクター架台２０の上面２０ａに取り付けられて固定された治具ベース４１と、治具ベース４１に両端が固定され、版胴４の軸方向（ドクターブレード３１の幅方向）に対して平行に延びる治具軸４２と、ドクターブレード３１の幅方向に沿って一列に配置され、治具軸４２に枢支されて回転自在となっている複数（例えば３つ）の治具スペーサー４３ａ、４３ｂ、４３ｃとを有している。ここで、後述のように各治具スペーサー４３ａ、４３ｂ、４３ｃの形状は互いに異なるものとなっている。このような位置決めユニット４０において、ドクターブレードユニット３０の後端面３０ａ（上部ドクターホルダ３２および下部ドクターホルダ３３の後端面）が各治具スペーサー４３ａ、４３ｂ、４３ｃのうちのいずれか一つの前面（図１の左側の面）に当接することによりドクターブレードユニット３０の位置決めが行われるようになっている。
【００２７】
各治具スペーサー４３ａ、４３ｂ、４３ｃは、治具軸４２を中心として図１の矢印方向に実質的に当該治具軸４２の半周分だけ回転するようになっており、このことによりドクターブレードユニット３０の位置決めを行うべき位置決め状態（図１に示す状態）と、ドクターブレードユニット３０側（図１の左方側）から退避してこのドクターブレードユニット３０の位置決めを行うことのない退避状態（各治具スペーサー４３ａ、４３ｂ、４３ｃが治具軸４２から右方向に延びる状態）との間で切り替え自在となっている。
【００２８】
前述のように各治具スペーサー４３ａ、４３ｂ、４３ｃの形状は互いに異なるものとなっており、各治具スペーサー４３ａ、４３ｂ、４３ｃが全て位置決め状態にあるときに、ドクターブレードユニット３０の版胴４に対する進退方向（図１の左右方向）においてこれらの治具スペーサー４３ａ、４３ｂ、４３ｃの前面の位置は互いに異なるようになっている。具体的には、図１に示すように、各治具スペーサー４３ａ、４３ｂ、４３ｃが位置決め状態にあるときに、治具スペーサー４３ａの前面は版胴４に最も近い位置にあり、一方、治具スペーサー４３ｃの前面は版胴４から最も遠い位置にある。
【００２９】
次に、このような構成からなる本実施の形態の作用について説明する。
まず、グラビア印刷機の印刷ユニット１の全体的な作用について図４を用いて説明する。
この印刷ユニット１において、インキパンには予めインキが貯留されており、このインキパン内のインキに浸されたファニッシャーロール３が図１の矢印方向に回転することにより当該ファニッシャーロール３の外表面にインキが付着する。
版胴４はファニッシャーロール３に当接しながら図４の矢印方向に回転し、ファニッシャーロール３の外表面に付着したインキが版胴４の各セル内に転移して当該セル内にインキが充填される。このときに、各セル内に充填されなかった余剰インキが版胴４の外表面に付着する。
【００３０】
その後、ドクター装置１０のドクターブレード３１が版胴４の外周面を摺擦し、この外表面に付着した余剰インキを掻き落とす。一方、版胴４の各セル内に充填されたインキはドクター装置１０によっては掻き落とされることなく、版胴４と圧胴５との間に形成されたニップ点４ｎにおいてウェブ状被印刷物Ｗに転写される。
このようにして、グラビア印刷機の印刷ユニット１においてウェブ状被印刷物Ｗに対する印刷が行われる。
【００３１】
次に、ドクター装置１０におけるドクターブレードユニット３０の位置決め方法について図４を用いて説明する。
まず、ドクター架台軸２１を上下方向に駆動することにより、ドクター架台２０の上下方向における位置決めを行う。次に、上下方向において位置決めが行われて位置固定されたドクター架台２０に対するドクターブレードユニット３０の進退方向（版胴４に対する進退方向）における位置決めを行う。以下、位置固定されたドクター架台２０に対するドクターブレードユニット３０の進退方向における位置決め方法について図１により詳述する。
【００３２】
位置決めユニット４０は、版胴４に対する進退方向においてドクターブレードユニット３０の位置決めを行うにあたり、複数の予め設定された取り付け場所の中から任意の取り付け場所を選択して手動により当該ドクターブレードユニット３０の位置決めを行うことができるようになっている。具体的には、操作者は手動により、（ｉ）治具スペーサー４３ａ、４３ｂ、４３ｃの全てを位置決め状態とする、（ｉｉ）治具スペーサー４３ａを退避状態とし、治具スペーサー４３ｂ、４３ｃを位置決め状態とする、（ｉｉｉ）治具スペーサー４３ａ、４３ｂを退避状態とし、治具スペーサー４３ｃのみを位置決め状態とする、という動作を選択的に行う。このことにより、ドクターブレードユニット３０の後端面３０ａはそれぞれ、（ｉ）治具スペーサー４３ａの前面、（ｉｉ）治具スペーサー４３ｂの前面、（ｉｉｉ）治具スペーサー４３ｃの前面に当接することとなる。ここで、各治具スペーサー４３ａ、４３ｂ、４３ｃの前面の位置は互いに異なっているので、ドクターブレードユニット３０は互いに異なる位置において位置決めされる。このように、各治具スペーサー４３ａ、４３ｂ、４３ｃの前面の位置を予め設定することにより、ドクターブレードユニット３０の取り付け場所を予め複数設定しておくことができ、各治具スペーサー４３ａ、４３ｂ、４３ｃについて位置決め状態とするか退避状態とするかを手動で操作することにより、どの取り付け場所にドクターブレードユニット３０を位置決めするかを選択することができる。
【００３３】
以上のように本実施の形態のドクター装置１０によれば、位置決めユニット４０により、版胴４に対する進退方向においてドクターブレードユニット３０の位置決めを行うにあたり複数の予め設定された取り付け場所の中から任意の取り付け場所を選択して手動により当該ドクターブレードユニット３０の位置決めを行うことができるようになっているので、ウェブ状被印刷物Ｗの材質やインキの種類の違いにより版胴４に対するドクターブレードユニット３０の位置を変化させなければならない場合であっても、版胴４に対する進退方向におけるドクターブレードユニット３０の取り付け場所の切り替えを手動で容易に行うことができるようになり、ドクターブレードユニット３０の位置ずれによる印刷不良を抑制することができる。
【００３４】
ここで、位置決めユニット４０は、治具軸４２に枢支されて回転自在となっている複数の治具スペーサー４３ａ、４３ｂ、４３ｃを有し、ドクターブレードユニット３０の後端面３０ａが各治具スペーサー４３ａ、４３ｂ、４３ｃのうちのいずれか一つの前面に当接することによりドクターブレードユニット３０の位置決めが行われるようになっているので、操作者は、立体的で視認性に優れる各治具スペーサー４３ａ、４３ｂ、４３ｃについて位置決め状態とするか退避状態とするかを手動で操作するという単純な操作によりドクターブレードユニット３０の所望の位置決めを行うことができる。
【００３５】
第２の実施の形態
次に、図２および図３により本発明の第２の実施の形態について説明する。
図２は、第２の実施の形態のドクター装置の構成を示す概略斜視図であり、図３（ａ）〜（ｃ）は、各々、図２のドクター装置を上方から見た上面図である。
【００３６】
本実施の形態のドクター装置１０は、図２および図３に示すように、位置決めユニットの構成が異なるのみであり、他は実質的に図１および図４に示す第１の実施の形態と同様の構成を有している。
図２および図３に示す本実施の形態において、図１および図４に示す第１の実施の形態と同一部分には同一符号を付して詳細な説明は省略する。
【００３７】
本実施の形態のドクター装置１０の位置決めユニット５０は、ドクター架台２０の上面２０ａに対して垂直方向に延びるカム軸５１と、このカム軸５１に枢支されて回転自在となっている偏心カム５２と、偏心カム５２の上方においてカム軸５１に枢支されており、当該偏心カム５２を手動で回転させるのに用いられるハンドル５３とを備えている。そして、ドクターブレードユニット３０の後端面３０ａが偏心カム５２の側面（図２の斜線箇所）に当接することにより、当該ドクターブレードユニット３０の位置決めが行われるようになっている。
【００３８】
ここで、偏心カム５２は楕円形となっておりカム軸５１は当該偏心カム５２の中心から外れた位置に取り付けられているが、偏心カム５２はこのような形態に限定されるものではなく、円形のカム以外のものであれば様々な形状のカムを用いることができ、また、カム軸５１が偏心カム５２の中心に取り付けられるようになっていてもよい。
【００３９】
操作者がハンドル５３を回転させることにより偏心カム５２はカム軸５１を中心として自在に回転するようになっており、この場合、図３（ａ）〜（ｃ）に示すように、ドクターブレードユニット３０の後端面３０ａが偏心カム５２の側面に当接した際にこの後端面３０ａとカム軸５１との距離が変化するようになっている。ここで、カム軸５１はドクター架台２０に対して位置固定されているので、偏心カム５２を回転させることにより版胴４に対する進退方向においてドクター架台２０に対するドクターブレードユニット３０の相対的位置が変化することとなる。
【００４０】
図３（ａ）〜（ｃ）に示すように、偏心カム５２の表面には、カム軸５１から放射状に延びる例えば４つの目印５４ａ、５４ｂ、５４ｃ、５４ｄが刻み込まれている。各目印５４ａ、５４ｂ、５４ｃ、５４ｄは、ウェブ状被印刷物Ｗの材質やインキの種類に基づいて各々の予め設定された例えば４つの取り付け場所にドクターブレードユニット３０がそれぞれ位置するよう、偏心カム５２の回転方向における向きを定めるためのものである。よって、これらの目印５４ａ、５４ｂ、５４ｃ、５４ｄは、予め設定されたドクターブレードユニット３０の４つの取り付け場所に対応して設けられている。
【００４１】
次に、このような構成からなる本実施の形態の作用について説明する。
具体的には、ドクター装置１０におけるドクターブレードユニット３０の位置決め方法について図２および図３を用いて以下に説明する。
【００４２】
ウェブ状被印刷物Ｗの材質やインキの種類に基づいて、第１の取り付け場所にドクターブレードユニット３０を位置決めする場合は、図３（ａ）に示すように第１の目印５４ａが版胴４側（図３（ａ）の上方側）に向かって延びるよう、操作者はハンドル５３を回転させて偏心カム５２の回転方向における向きを定める。このことにより、ドクターブレードユニット３０の後端面３０ａが偏心カム５２の側面と当接した際に当該ドクターブレードユニット３０は図３（ａ）に示すような第１の取り付け場所に位置することとなり、版胴４に対する進退方向におけるドクターブレードユニット３０の位置決めが行われる。
一方、ウェブ状被印刷物Ｗの材質やインキの種類が変化したことにより、ドクターブレードユニット３０を第１の取り付け場所とは異なる第２の取り付け場所に取り付ける必要が生じた場合は、操作者はハンドル５３を回転させて偏心カム５２の向きを変化させる。具体的には、図３（ｂ）に示すように第２の目印５４ｂが版胴４側（図３（ｂ）の上方側）に向かって延びるよう、偏心カム５２の回転方向における向きを定める。このことにより、ドクターブレードユニット３０の後端面３０ａが偏心カム５２の側面と当接した際に当該ドクターブレードユニット３０は図３（ｂ）に示すような第１の取り付け場所とは異なる第２の取り付け場所に位置することとなる。
【００４３】
以上のように本実施の形態のドクター装置１０によれば、位置決めユニット５０はカム軸５１に枢支されて回転自在となっている偏心カム５２を有し、ドクターブレードユニット３０の後端面３０ａが偏心カム５２の側面に当接することによりドクターブレードユニット３０の位置決めが行われるようになっているので、操作者が偏心カム５２を回転させることにより、偏心カム５２の側面に当接している後端面３０ａとカム軸５１との間の距離が変化することとなる。このように、版胴４に対する進退方向においてドクターブレードユニット３０の位置決めを行うにあたり立体的で視認性に優れる偏心カム５２の向きを調整することにより当該ドクターブレードユニット３０の位置決めを容易に行うことができる。
【００４４】
また、偏心カム５２の表面には、各々の予め設定された取り付け場所にドクターブレードユニット３０がそれぞれ位置するよう偏心カム５２の回転方向における向きを定めるための目印５４ａ、５４ｂ、５４ｃが複数付けられているので、操作者は、偏心カム５２の表面に付けられた目印５４ａ、５４ｂ、５４ｃを参照してドクターブレードユニット３０の位置決めをより容易に行うことができる。
【図面の簡単な説明】
【００４５】
【図１】第１の実施の形態のドクター装置の構成を示す概略斜視図である。
【図２】第２の実施の形態のドクター装置の構成を示す概略斜視図である。
【図３】（ａ）〜（ｃ）は、各々、図２のドクター装置を上方から見た上面図である。
【図４】ドクター装置が設けられたグラビア印刷機の印刷ユニットの構成を示す概略斜視図である。
【符号の説明】
【００４６】
１      印刷ユニット
３      ファニッシャーロール
４      版胴
４ａ    版胴軸
４ｎ    ニップ点
５      圧胴
１０    ドクター装置
２０    ドクター架台
２０ａ  上面
２１    ドクター架台軸
３０    ドクターブレードユニット
３０ａ  後端面
３１    ドクターブレード
３２    上部ドクターホルダ
３３    下部ドクターホルダ
４０    位置決めユニット
４１    治具ベース
４２    治具軸
４３ａ、４３ｂ、４３ｃ    治具スペーサー
５０    位置決めユニット
５１    カム軸
５２    偏心カム
５３    ハンドル
５４ａ、５４ｂ、５４ｃ、５４ｄ  目印
【図１】
0004792932.tif 000002
【図２】
0004792932.tif 000003
【図３】
0004792932.tif 000004
【図４】
0004792932.tif 000005